(57)【特許請求の範囲】
【請求項１】
指示針を有する文字盤をメータケース内に配設し、該文字盤の裏側に上記指示針を駆動する表示機構を配設し、上記メータケースの開口に大略円錐状又は角錐状をなす無反射ガラスを配設してなる車両用メータ装置において、上記無反射ガラスの頂上部に孔を形成し、該孔を覆いかつ上記指示針の指針センタと略同じ大きさを有する平板状のプレート部と、上記孔の縁部に係合する係合部とを有するデコレーションプレートを上記孔に着脱可能に装着し、該デコレーションプレートに、上記プレート部に続いて上記指針センタに対向するように近接して延びるシリンダ部を一体形成し、該シリンダ部を上記指針センタと略同じ径を有する円筒状のものとしたことを特徴とする車両用メータ装置。
【発明の詳細な説明】
【０００１】
【発明の属する技術分野】
本発明は、例えば自動車のインストルメントパネルに配設されるメータ装置に関する。
【０００２】
【従来の技術】
自動車の運転席前方に配設されたインストルメントパネルにはコンビネーションメータ装置が配設されている。このコンビネーションメータ装置は、例えば、図９，図１０に示すように、メータケース５０内に収納されたスピードメータ５１，タコメータ５２，フューエルメータ５３等にそれぞれメータガラス５４，５５を配設し、上記メータケース５０の開口に見返し盤５６を装着した構造が一般的である。上記コンビネーションメータ装置では、例えばスピードメータ５１のメータガラス５４に運転席回りの部品や運転者自身の姿勢が映り込むことによるスピードメータの視認性悪化を防止するため、円錐状に形成された無反射ガラスを採用する場合がある。これによりメータガラス５４に運転席回りの部品等が映り込んでも、図１０の一点鎖線Ｘ，Ｘ´で示すように、運転者の目Ｅに向かって反射しないようにしている。
【０００３】
このような円錐状の無反射ガラス５４を配設する場合、該無反射ガラス５４の頂上部５４ａを透して文字盤５１ａを見ると文字が歪んで見えることから、従来、上記頂上部５４ａにキャップ５７を配設してガラスの歪みを隠すようにしている。この場合、キャップ５７の形状，大きさをできるだけ小さくして目立たないようにするのが一般的である。
【０００４】
【発明が解決しようとする課題】
しかしながら、上記従来のように小さいキャップを装着する場合、該キャップを無反射ガラスに熱かしめや接着剤等により固着するという手間のかかる作業が必要となり、それだけ生産性が低下するとともに部品コストが上昇するという問題がある。
【０００５】
本発明は、上記従来の状況に鑑みてなされたもので、手間のかかる作業を不要にして生産性を向上できるとともに、コストを低減できる車両用メータ装置を提供することを目的としている。
【０００６】
【課題を解決するための手段】
本発明は、指示針を有する文字盤をメータケース内に配設し、該文字盤の裏側に上記指示針を駆動する表示機構を配設し、上記メータケースの開口に大略円錐状又は角錐状をなす無反射ガラスを配設してなる車両用メータ装置において、上記無反射ガラスの頂上部に孔を形成し、該孔を覆いかつ上記指示針の指針センタと略同じ大きさを有する平板状のプレート部と、上記孔の縁部に係合する係合部とを有するデコレーションプレートを上記孔に着脱可能に装着し、該デコレーションプレートに、上記プレート部に続いて上記指針センタに対向するように近接して延びるシリンダ部を一体形成し、該シリンダ部を上記指針センタと略同じ径を有する円筒状のものとしたことを特徴としている。
【０００７】
ここで、図７（ａ），図７（ｂ）及び図８は、請求項１の発明に係るデコレーションプレートの一構造例を示す。図７（ａ）に示すデコレーションプレート３１は、指示針３２の指針センタ３２ａと略同じ大きさを有し、かつ無反射ガラス３０の頂上部３０ａに形成した孔３０ｂを覆うプレート部３１ａと、該孔３０ｂに係合する係合部３１ｂとから構成されている。この係合部３１ｂは、上記孔３０ｂに内接する凸片３１ｃと、凸辺３１ｃの先端からプレート部３１ａの半径方向外側に突設されたツメ３１ｄとにより構成され、プレート部３１ａの周方向に適当間隔をおいて２つ以上形成されている。また図７（ｂ）に示すように、上記孔３０ｂに内接するスカート状のリブ３１ｅを係合部３１ｂと別に設けた場合には、デコレーションプレート３１を無反射ガラス３０により強固に、かつ安定的に固定することができる。
【０００８】
この場合、通常の着座位置から見たプレート部３１ａは指針センタ３２ａと同軸上に重なることから、該指針センタ３２ａは隠れてほとんど見えることはない。ところで、図８に示すように、メータを斜めから見た場合には、プレート部３１ａと指針センタ３２ａとがずれて見えることから、見栄えを悪化させるおそれがある。
【０００９】
そこで、請求項２の発明は、請求項１において、上記デコレーションプレートに、上記プレート部に続いて上記指針センタに対向するように近接して延びるシリンダ部を一体形成したことを特徴としている。
【００１０】
【発明の作用効果】
本発明に係るメータ装置によれば、無反射ガラスの頂上部に孔を形成し、該孔に指針センタと略同じ大きさのプレート部と、上記孔に係合する係合部とを有するデコレーションプレートを装着したので、該プレート部により無反射ガラスの頂上部を隠すことができ、文字が歪んで見えるのを防止できる。
【００１１】
上記プレート部を指針センタと略同じ大きさにしたので、従来のキャップに比べて形状，大きさを大きくすることができ、該プレート部に係合部を一体形成することが可能となる。これによりデコレーションプレートを無反射ガラスに係合装着するだけの簡単な作業で取付けることができ、従来の熱かしめや接着剤等により固着する場合に比べて生産性を向上できるとともに、コストを低減できる効果がある。
【００１２】
また上記プレート部は従来のキャップに比べて目立つ大きさであるので、該プレート部に意匠効果を高めるための模様や絵等を表示することができ、ファッション性を向上できるという効果が得られる。さらに上記デコレーションプレートを着脱可能としたので、ユーザの好みに応じたものに交換することができ、この点からもファッション性を向上できる効果がある。
【００１３】
請求項２の発明では、上記プレート部に続いて指針センタに近接して延びるシリンダ部を一体形成したので、該シリンダ部によりプレート部と指針センタとが連続するように見えることから、メータを斜めから見た場合のずれを回避して見栄えを改善できる効果がある。
【００１４】
【発明の実施の形態】
以下、本発明の実施の形態を添付図面に基づいて説明する。
図１ないし図６は、本発明の一実施形態による自動車用メータ装置を説明するための図であり、図１，図２はメータ装置の断面側面図（図３のＩ−Ｉ線断面図，ＩＩ−ＩＩ  線断面図）  、図３はメータ装置の正面図、図４はデコレーションプレートの係合状態を示す断面側面図、図５はデコレーションプレートの装着状態を示す分解斜視図、図６は斜め正面から見た文字盤の図である。
【００１５】
図において、１はコンビネーションメータ装置であり、これは自動車の運転席前方に配設されたインストルメントパネル（不図示）に配設されている。このコンビネーションメータ装置１は、矩形箱状のメータケース２内に車両速度を表示するスピードメータ３，エンジン回転数を表示するタコメータ４を配置するとともに、両メータ３，４の間にシフトポジション，及び警告灯等が配列された表示ユニット５を配置して構成されている。この各メータ３，４及び表示ユニット５は上記メータケース２に設けられた係止部に係合固定されている。上記メータケース２の上壁２ｃ，下壁２ｄには後述する見返し盤１５，無反射ガラス２０が嵌装される嵌合孔２ｅを有する嵌合凸部２ｆが形成されている。
【００１６】
上記スピードメータ３，タコメータ４は、文字が形成された円板状の文字盤３ａ，４ａの中心部に指示針３ｂ，４ｂを配設した構造のもので、該指示針３ｂ，４ｂの基部には直径１５ｍｍ程度の指針センタ１０，１１が装着されている。また上記各指示針３ｂ，４ｂは文字盤３ａ，４ａの裏側に配設された表示機構３ｃ，４ｃにより回動駆動される。上記スピードメータ３の表示機構３ｃには積算カウンタ１２，及びトリップカウンタ１３が配設されており、該各カウンタ１２，１３は文字盤３ａの窓３ｄ，３ｅから露出している。また上記タコメータ４には、燃料の残量を表示する燃料メータ６，及びエンジン冷却水温度を表示する冷却水温度メータ７が組み込まれている。
【００１７】
上記メータケース２の開口２ｂには該開口２ｂを覆う見返し盤１５が配設されている。この見返し盤１５には上記各文字盤３ａ，４ａ及び表示ユニット５の外周縁に沿う開口１５ａが形成されており、これにより表示部分のみが外方に露出している。上記見返し盤１５の四隅部分及び下縁の中央部寄りにはそれぞれ嵌合片１５ｂが突出形成されており、各嵌合片１５ｂは上記嵌合凸部２ｆに脱着可能に嵌装されている。
【００１８】
上記スピードメータ３及びタコメータ４には円錐形状をなす無反射ガラス２０が配設されている。この無反射ガラス２０は、アクリル等の透明樹脂製であり、上記見返し盤１５の開口１５ａの外周部を囲むフランジ部２０ａに円錐形レンズ部２０ｂを突出形成するとともに、該フランジ部２０ａに４つの嵌合片２０ｃを一体形成した構造となっており、この各嵌合片２０ｃは上記メータケース２の残りの嵌合凸部２ｆに脱着可能に嵌装されている。
【００１９】
上記無反射ガラス２０を取り外すには、各嵌合片２０ｃを弾性変形させることにより嵌合孔２ｅから運転席側に引き抜くこととなる。また上記見返し盤１５についても同様の手順で取り外すこととなる。
【００２０】
上記無反射ガラス２０のガラス部２０ｂの頂上部２０ｄには支持針３ｂ，４ｂの軸心と同心円をなす孔２０ｅが形成されている。この孔２０ｅは上記各メータ３，４の指針センタ１０，１１と略同じ径に設定されている。この孔２０ｅ周縁には内側に延びる円筒部２０ｆが形成されており、該円筒部２０ｆの内径は孔２０ｅと同一に設定されている。
【００２１】
上記無反射ガラス２０には本実施形態の特徴をなすデコレーションプレート２２が着脱可能に装着されている。このデコレーションプレート２２は樹脂製のものであり、上記孔２０ｅを覆う円板状のプレート部２２ａと、該プレート部２２ａに続いて内方に延びる円筒状のシリンダ部２２ｂと、該シリンダ部２２ｂの周壁に間隔をあけて切り欠き形成された複数の係合片２２ｃとから構成されている。
【００２２】
上記各係合片２２ｃには外側に突出する爪２２ｄが形成されており、該爪２２ｄは上記円筒部２０ｆの内端面に係合している。これによりデコレーションプレート２２は装着状態では運転席側から外せないようになっている。このデコレーションプレート２２を取り外すには上記無反射ガラス２０を外し、該無反射ガラス２０の内側から各係合片２２ｃを内方に弾性変形させ、この状態で引き抜くこととなる。
【００２３】
上記プレート部２２ａは各指針センタ１０，１１より若干大径の直径２０ｍｍ程度に形成されており、無反射ガラス２０の孔２２ｅの周縁としての平面境界部２２ｅ´を覆っている。また上記シリンダ部２２ｂは指針センタ１０，１１と略同径に形成されている。そしてこのシリンダ部２２ｂは各指針センタ１０，１１に対向するように近接して延びており、該シリンダ部２２ｂ内端面と各指針センタ１０，１１との間は５ｍｍ程度の隙間が設けられている。
【００２４】
次に本実施形態の作用効果について説明する。
本実施形態によれば、スピードメータ３，タコメータ４の指針センタ１０，１１より若干大径の円板状プレート部２２ａと、該プレート部２２ａに続いて該指針センタ１０，１１に近接して延びる円筒状のシリンダ部２２ｂと、該シリンダ部２２ｂの周壁に切り欠き形成された複数の係合片２２ｃとを備えたデコレーションプレート２２を形成し、該デコレーションプレート２２を無反射ガラス２０の頂上部２０ｄに形成された孔２０ｅに装着したので、上記プレート部２２ａで孔２０ｅの周縁の平面境界部２０ｅ´を隠すことができ、該境界部２０ｅを透しての文字の歪みを防止できる。
【００２５】
上記プレート部２２ａ及びシリンダ部２２ｂを各指針センタ１０，１１と略同じ大きさにしたので、従来の小さいキャップを固着する場合に比べて直径を２０ｍｍ程度と大きくすることができ、これによりシリンダ部２２ｂに係合片２２ｃを形成することが可能となる。これによりデコレーションプレート２２のシリンダ部２２ｂを無反射ガラス２０の孔２０ｅ内に挿入するだけで、係合片２２ｃが円筒部２０ｆに自動的に嵌合することとなり、簡単な作業で取付けることができ、従来の熱かしめや接着剤等により固着する場合に比べて生産性を向上できるとともに、コストを低減できる。
【００２６】
上記プレート部２２ａは直径２０ｍｍ程度と比較的目立つ大きさであるので、該プレート部２２ａに意匠効果を高めるための模様や絵等を表示したり，シールを貼着したりすることができ、ファッション性を向上できる。また上記デコレーションプレート２２を取り外し可能としたので、ユーザの好みに応じたものに交換することができ、この点からもファッション性を向上できる。
【００２７】
本実施形態では、上記プレート部２２ａに続いて指針センタ１０，１１に近接して延びるシリンダ部２２ｂを一体形成したので、該シリンダ部２２ｂによりプレート部２２ａと指針センタ１０，１１とが繋がっているように見えることから、メータ３，４を斜めから見た場合の見栄えを改善できる（図６参照）。
【図面の簡単な説明】
【図１】本発明の一実施形態による車両用メータ装置を説明するための断面側面図（図３のＩ−Ｉ線断面図）である。
【図２】上記メータ装置の断面側面図（図３のＩＩ−ＩＩ線断面図）である。
【図３】上記メータ装置の正面図である。
【図４】上記メータ装置のデコレーションプレートの係合状態を示す断面側面図である。
【図５】上記デコレーションプレートの装着状態を示す分解斜視図である。
【図６】上記メータ装置の斜め正面から見た文字盤の図である。
【図７】請求項１の発明に係るデコレーションプレートの構成を示す図である。
【図８】請求項２の発明の成立過程を説明するための斜め正面から見た文字盤の図である。
【図９】従来の一般的なメータ装置を示す分解斜視図である。
【図１０】無反射ガラスの機能を示す概略図である。
【符号の説明】
１              メータ装置
２              メータケース
２ｂ            メータ開口
３              スピードメータ
４              タコメータ
３ａ，４ａ      文字盤
３ｂ，４ｂ      指示針
１０，１１      指針センタ
２０，３０      無反射ガラス
２０ｅ，３０ｂ  孔
２２，３１      デコレーションプレート
２２ａ，３１ａ  プレート部
２２ｂ          シリンダ部
２２ｃ，３１ｂ  係合片
【図１】
0003604938.tif 000002
【図２】
0003604938.tif 000003
【図３】
0003604938.tif 000004
【図４】
0003604938.tif 000005
【図５】
0003604938.tif 000006
【図６】
0003604938.tif 000007
【図７】
0003604938.tif 000008
【図８】
0003604938.tif 000009
【図９】
0003604938.tif 000010
【図１０】
0003604938.tif 000011